(57)【要約】【課題】従来の通信規格に改変を加えることなく、ロングデータを送信することができる通信システム及び通信装置の提供。【解決手段】通信装置は、他の通信装置に接続された１又は複数の機器へ送信すべきデータのデータ長が所定長より長いか否かを判断する手段、及び所定長より長いと判断した場合、前記データを所定長以下のデータ長に断片化した断片化データと、断片化に係る情報とを夫々のデータ部に付加した複数のパケットを生成する手段を備え、生成した複数のパケットを前記他の通信装置を介して前記１又は複数の機器へ送信する。【選択図】図９
2016092677.tif 000002
【特許請求の範囲】
【請求項１】
互いに通信可能に接続された複数の通信装置を含み、該複数の通信装置間で、宛先及び送信元に係る情報を含むヘッダ部と、送信対象のデータを含むデータ部とを有するパケットを送受信する通信システムにおいて、
前記複数の通信装置の少なくとも１つはバスを介して１又は複数の機器を接続する手段を備え、
各通信装置は、
他の通信装置に接続された１又は複数の機器へ送信すべきデータのデータ長が所定長より長いか否かを判断する手段、及び
前記データのデータ長が所定長より長いと判断した場合、前記データを前記所定長以下のデータ長に断片化した断片化データと、断片化に係る情報とを夫々のデータ部に付加した複数のパケットを生成する手段
を備え、
生成した複数のパケットを前記他の通信装置を介して前記１又は複数の機器へ送信するようにしてあることを特徴とする通信システム。
【請求項２】
各通信装置は、
断片化に係る情報を一のパケットのデータ部に付加し、他のパケットのデータ部への付加を省略するようにしてあることを特徴とする請求項１に記載の通信システム。
【請求項３】
前記機器は、供給先へ供給される供給対象の使用量を計測するメータを含み、
該メータは、
自機と同一のバスに接続された他の機器宛のパケットを受信する手段と、
該手段にて受信したパケットを前記他の機器へ転送する手段と
を備えることを特徴とする請求項１又は請求項２に記載の通信システム。
【請求項４】
前記機器は、他の通信規格のパケットを送受信する機器を接続するためのポートを備えた変換アダプタを含み、
該変換アダプタは、
前記バスを通じて受信したパケットのデータ部に断片化に係る情報が含まれているか否かを判断する手段と、
前記断片化に係る情報が含まれていると判断した場合、前記断片化に係る情報に基づいて、前記パケットのヘッダ部により指定される宛先の機器へ送信すべきデータを復元する手段と、
復元したデータに基づいて前記通信規格に準じたパケットを生成する手段と
を備え、
生成したパケットを前記宛先の機器へ送信するようにしてあることを特徴とする請求項１又は請求項２に記載の通信システム。
【請求項５】
宛先及び送信元に係る情報を含むヘッダ部と、送信対象のデータを含むデータ部とを有するパケットを送受信する通信装置において、
他の通信装置にバスを介して接続された機器へ送信すべきデータのデータ長が所定長より長いか否かを判断する手段、及び
前記データのデータ長が所定長より長いと判断した場合、前記データを前記所定長以下のデータ長に断片化した断片化データと、断片化に係る情報とを夫々のデータ部に付加した複数のパケットを生成する手段
を備え、
生成した複数のパケットを前記他の通信装置を介して前記機器へ送信するようにしてあることを特徴とする通信装置。
【発明の詳細な説明】
【技術分野】
【０００１】
本発明は、メータにて計測された水道、ガスなどの使用量を無線網を利用してセンタ側の通信装置へ送信する通信システム及び通信装置に関する。
【背景技術】
【０００２】
従来、水道、ガス等のメータ検針用に開発された無線テレメータシステムでは、ホストコンピュータおよびセンタ網制御装置を備えたセンタ側装置にＰＨＳ網、ＦＯＭＡ網などの広域無線網を介して無線親機が接続される（例えば、特許文献１を参照）。また、無線親機には、複数の無線子機が接続されており、無線子機の夫々には検針用のメータが接続されている。メータから得られる検針値などのデータは、無線子機から無線親機へ送信され、さらに無線親機からセンタ側装置へ送信される。
【０００３】
また、通信システムの新バージョンで使用される端末装置に搭載される通信インタフェースである次世代通信ラインの仕様について規定するＵバスと呼ばれる規格が存在する（例えば、非特許文献１を参照）。
【先行技術文献】
【特許文献】
【０００４】
【特許文献１】特開２０１２−２４９１６６号公報
【非特許文献】
【０００５】
【非特許文献１】“新しいテレメータリング通信方式（Ｕバス・Ｕバスエアー）の標準化”、［online］、ＮＰＯ法人テレメータリング推進協議会、［平成２６年１０月１日検索］、インターネット〈URL : http://www.teleme-r.or.jp/u-bus/〉
【発明の概要】
【発明が解決しようとする課題】
【０００６】
前述のＵバスの通信規格では、サブアドレスを用いることにより、無線機（無線親機又は無線子機）とＵバスに接続された機器との間で通信を行うことが可能である。しかしながら、サブアドレスを用いた場合には、パケットを分割することができない通信仕様となっているため、ロングデータを送信することができないといった問題点を有している。
【０００７】
本発明は、斯かる事情に鑑みてなされたものであり、従来の通信規格に改変を加えることなく、ロングデータを送信することができる通信システム及び通信装置を提供することを目的とする。
【課題を解決するための手段】
【０００８】
本願の通信システムは、互いに通信可能に接続された複数の通信装置を含み、該複数の通信装置間で、宛先及び送信元に係る情報を含むヘッダ部と、送信対象のデータを含むデータ部とを有するパケットを送受信する通信システムにおいて、前記複数の通信装置の少なくとも１つはバスを介して１又は複数の機器を接続する手段を備え、各通信装置は、他の通信装置に接続された１又は複数の機器へ送信すべきデータのデータ長が所定長より長いか否かを判断する手段、及び前記データのデータ長が所定長より長いと判断した場合、前記データを前記所定長以下のデータ長に断片化した断片化データと、断片化に係る情報とを夫々のデータ部に付加した複数のパケットを生成する手段を備え、生成した複数のパケットを前記他の通信装置を介して前記１又は複数の機器へ送信するようにしてあることを特徴とする。
【０００９】
本願の通信システムは、各通信装置は、断片化に係る情報を一のパケットのデータ部に付加し、他のパケットのデータ部への付加を省略するようにしてあることを特徴とする。
【００１０】
本願の通信システムは、前記機器は、供給先へ供給される供給対象の使用量を計測するメータを含み、該メータは、自機と同一のバスに接続された他の機器宛のパケットを受信する手段と、該手段にて受信したパケットを前記他の機器へ転送する手段とを備えることを特徴とする。
【００１１】
本願の通信システムは、前記機器は、他の通信規格のパケットを送受信する機器を接続するためのポートを備えた変換アダプタを含み、該変換アダプタは、前記バスを通じて受信したパケットのデータ部に断片化に係る情報が含まれているか否かを判断する手段と、前記断片化に係る情報が含まれていると判断した場合、前記断片化に係る情報に基づいて、前記パケットのヘッダ部により指定される宛先の機器へ送信すべきデータを復元する手段と、復元したデータに基づいて前記通信規格に準じたパケットを生成する手段とを備え、生成したパケットを前記宛先の機器へ送信するようにしてあることを特徴とする。
【００１２】
本願の通信装置は、宛先及び送信元に係る情報を含むヘッダ部と、送信対象のデータを含むデータ部とを有するパケットを送受信する通信装置において、他の通信装置にバスを介して接続された機器へ送信すべきデータのデータ長が所定長より長いか否かを判断する手段、及び前記データのデータ長が所定長より長いと判断した場合、前記データを前記所定長以下のデータ長に断片化した断片化データと、断片化に係る情報とを夫々のデータ部に付加した複数のパケットを生成する手段を備え、生成した複数のパケットを前記他の通信装置を介して前記機器へ送信するようにしてあることを特徴とする。
【発明の効果】
【００１３】
本願では、従来の通信規格に改変を加えることなく、ロングデータを送信することができる。
【図面の簡単な説明】
【００１４】
【図１】無線テレメータシステムの全体構成を示すブロック図である。
【図２】ホストコンピュータの内部構成を示すブロック図である。
【図３】無線親機の内部構成を示すブロック図である。
【図４】無線子機の内部構成を示すブロック図である。
【図５】メータの内部構成を示すブロック図である。
【図６】機器の内部構成を示すブロック図である。
【図７】実施の形態１に係る無線テレメータシステム内で送受信されるパケットの構成例を示す模式図である。
【図８】実施の形態１に係る分割パケットの構成例を示す模式図である。
【図９】パケットの生成手順の一例を示すフローチャートである。
【図１０】実施の形態１に係る分割パケットの送信手順の一例を示すタイミングチャートである。
【図１１】実施の形態２に係る分割パケットの構成例を示す模式図である。
【図１２】実施の形態３における従来型メータの接続例を示す模式図である。
【図１３】実施の形態４に係る分割パケットの送信手順の一例を示すタイミングチャートである。
【発明を実施するための形態】
【００１５】
以下、本発明に係る通信システムの一例として、無線テレメータシステムに適用した形態を図面を用いて具体的に説明する。
（実施の形態１）
図１は無線テレメータシステムの全体構成を示すブロック図である。本実施の形態に係る無線テレメータシステムは、センタ側の構成として、ホストコンピュータ１１及びセンタ側網制御装置１２を備え、端末側の構成として、無線親機２１、無線子機２２，２２，…，２２、並びに無線子機２２の夫々にＵバス（以下、単にバスともいう）を介して接続されたメータ２３及び機器２４を備える。メータ２３は、需要家毎に設置され、供給事業者から供給される水道、ガスなど供給媒体の使用量を計測し、計測結果（検針値）を出力する計測器である。機器２４は、火災警報器などの警報器、設備機器等である。本実施の形態に係る無線テレメータシステムは、メータ２３の検針値を示すデータ、機器２４から出力される警報等のデータ、無線親機２１及び無線子機２２の動作状態を示すデータなど端末側から出力される各種データを含んだパケットを、無線通信を利用してセンタ側へ送信すると共に、無線親機２１、無線子機２２、メータ２３、及び機器２４の動作を制御するためのコマンド等を含んだ各種パケットをセンタ側から端末側へ送信する。
【００１６】
センタ側網制御装置１２と端末側の無線親機２１とは、例えばＰＨＳ網、ＦＯＭＡ網などの広域無線網Ｎ１に接続され、広域無線網Ｎ１を介して無線通信を行う。なお、図１に示す例では、広域無線網Ｎ１に接続されている無線親機２１の数を１つとしたが、複数の無線親機２１が接続されていてもよいことは勿論のことである。
【００１７】
センタ側網制御装置１２は、例えば通信事業者の公衆網に設けられ、広域無線網Ｎ１を介した端末側との通信を制御する機能を有する。センタ側網制御装置１２は、ホストコンピュータ１１から端末側へ送信すべきパケットが入力された場合、広域無線網Ｎ１の通信規格に準拠した通信方式にて、端末側へパケットを送信する。また、端末側から送信されたデータを広域無線網Ｎ１を介して受信した場合、センタ側網制御装置１２は、受信したパケットをホストコンピュータ１１へ送信するように構成されている。
【００１８】
無線親機２１は、広域無線網Ｎ１を介してセンタ側に接続されると共に、複数の無線子機２２，２２，…，２２との間で例えばメッシュ型の狭域無線網Ｎ２を形成する。無線親機２１は、広域無線網Ｎ１を介してセンタ側のホストコンピュータ１１と無線通信を行うと共に、狭域無線網Ｎ２を介して無線子機２２，２２，…，２２と無線通信を行うように構成されている。
【００１９】
ホストコンピュータ１１から無線子機２２又はメータ２３に対してデータを送信する必要がある場合、宛先アドレスを無線子機２２又はメータ２３のＩＤ（アドレス）に指定したパケットを生成し、広域無線網Ｎ１を通じて宛先の無線子機２２又はメータ２３へ送信する。また、ホストコンピュータ１１は、機器２４に対してデータを送信する必要がある場合、宛先の機器２４と同一のバスに接続されたメータ２３のアドレスを宛先アドレスに指定すると共に、サブアドレスにより機器２４を指定したパケットを生成して送信する。このパケットは、送信先の機器２４と同一のバスに接続されたメータ２３を介してして機器２４へ送信される。
【００２０】
無線子機２２は、狭域無線網Ｎ２を通じてパケットを受信した場合、そのパケットの自機宛のパケットであるか否かを判断する。無線子機２２は、受信したパケットの宛先アドレスとして自機のＩＤが指定されている場合、受信したパケットが自機宛のパケットであると判断し、そのパケットに含まれるデータの内容に基づいて各種の処理を実行する。一方、受信したパケットの宛先アドレスとして自機に接続されたメータ２３のＩＤが指定されている場合、無線子機２２は、そのパケットを自機に接続されたメータ２３へ転送する。
また、無線子機２２は、自機に接続されたメータ２３から検針値等のデータを含むパケットを受信した場合、又は機器２４から出力される警報等を示すデータを含むパケットを
受信した場合、当該パケットを直接的又は他の１又は複数の無線子機２２を経由して無線親機２１へ送信する。無線親機２１は、無線子機２２から送信されたパケットを受信した場合、広域無線網Ｎ１を介した無線通信によりホストコンピュータ１１へパケットを送信する。
【００２１】
メータ２３は、バスを介して接続された無線子機２２から自機宛のパケットを受信した場合、そのパケットに含まれるデータの内容に基づいて各種の処理を実行する。また、メータ２３は、サブアドレスにより機器２４宛のパケットであることが指定されたパケットを受信した場合、そのパケットの送信元アドレス及び宛先アドレスを、それぞれ自機（メータ２３）のアドレス及び機器２４のアドレスに書き換えて機器２４へ転送する。
また、機器２４からホストコンピュータ１１へデータを送信する必要がある場合、当該機器２４は、宛先アドレス及びサブアドレスをそれぞれメータ２３のアドレス及びホストコンピュータ１１のアドレスに設定したパケットを生成し、生成したパケットをメータ２３へ送信する。メータ２３は、機器２４から受信したパケットの宛先アドレスをホストコンピュータ１１のアドレスに書き換えてホストコンピュータ１１へ転送する。
【００２２】
Ｕバス規格では、サブアドレスを用いることにより、無線子機２２にバスを介して接続された機器２４を送信先として指定したパケットを送信することが可能である。しかしながら、Ｕバス規格では、サブアドレスを用いた場合、パケットを分割することができない通信仕様となっているため、所定長より長いデータ（ロングデータ）を送受信することができないという問題点を有していた。このような問題点を解決するために、本願では、パケットのデータ部にパケット分割に係る情報（フラグメント情報）を付加することにより、従来のＵバス規格に改変を加えることなく、ロングデータを送受信できる構成としている。
【００２３】
なお、図１に示す例では、各無線子機２２にメータ２３及び機器２４をそれぞれ１台ずつ接続する構成としたが、各無線子機２２に接続される機器２４の台数は１台に限定されるものではない。例えば、メータ２３のみが接続された無線子機２２が含まれていてもよく、メータ２３及び２台以上の機器２４，２４，…が接続された無線子機２２が含まれていてもよい。
【００２４】
図２はホストコンピュータ１１の内部構成を示すブロック図である。ホストコンピュータ１１は、制御部１１０、記憶部１１１、通信部１１２、表示部１１４、操作部１１５などを備える。
【００２５】
制御部１１０は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、機器全体を本発明に係る通信装置として機能させる。
【００２６】
記憶部１１１は、例えば、ＨＤＤ（Hard Disk Drive）などの記憶装置により構成されており、無線親機２１、無線子機２２、メータ２３、機器２４等の端末側の装置に関する情報、広域無線網Ｎ１を介して端末側の装置から送信されてくるデータ等を記憶する。
【００２７】
通信部１１２は、センタ側網制御装置１２を介して広域無線網Ｎ１に接続するためのインタフェースを備える。ホストコンピュータ１１は、端末側から送信されるデータをセンタ側網制御装置１２経由で通信部１１２にて受信すると共に、端末側へ通知すべき情報等を通信部１１２からセンタ側網制御装置１２へ送出することにより、センタ側網制御装置１２経由で端末側へ送信する。
【００２８】
表示部１１４は、例えば液晶表示パネル等により構成されており、制御部１１０から出
力されるデータに基づき、センタ側の管理者等に通知すべき情報を表示する。
【００２９】
操作部１１５は、キーボード、マウス等の各種入力インタフェースにより構成されており、センタ側の管理者等による各種操作を受付ける。制御部１１０は、操作部１１５を通じて受付ける各種操作に基づいて、表示部１１４に情報を表示させる動作、記憶部１１１に情報を記憶させる動作、通信部１１２を通じて情報を送信させる動作を実行する。
【００３０】
図３は無線親機２１の内部構成を示すブロック図である。無線親機２１は、制御部２１０、記憶部２１１、広域無線通信部２１２、狭域無線通信部２１３、表示部２１４、操作部２１５などを備える。無線親機２１が備えるハードウェア各部は、電池２１９から供給される電力により動作するように構成されている。
【００３１】
制御部２１０は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、機器全体を本発明に係る通信装置として機能させる。
【００３２】
記憶部２１１は、例えば、ＥＥＰＲＯＭ（Electrically Erasable Programmable Read Only Memory）などの不揮発性メモリにより構成されており、自機の動作に関する設定情報、広域無線網Ｎ１を介して通信する際に必要となる情報、狭域無線網Ｎ２を介して通信する際に必要となる情報等を記憶する。
【００３３】
広域無線通信部２１２は、アンテナ２１２ａを通じて電波を発信または受信することによって、広域無線網Ｎ１を介した無線通信を行う。無線親機２１は、例えば、自機に接続された無線子機２２を通じてメータ２３の検針値を取得した場合、検針値を示すデータをセンタ側のホストコンピュータ１１へ送信する。広域無線通信部２１２は、制御部２１０を通じて送信すべきデータを取得した場合、アンテナ２１２ａを駆動して電波を発信させることより、広域無線網Ｎ１の通信規格に準拠した形式にてパケットを送信する処理を行う。
【００３４】
また、広域無線通信部２１２は、アンテナ２１２ａにて電波を受信した場合、受信した電波をデコードすることにより所定の形式のパケットを取得する。アンテナ２１２ａにて受信する受信電波には、例えば、ホストコンピュータ１１からの起動指令などの各種制御コマンドが含まれる。広域無線通信部２１２は、デコードして得られるパケットを制御部２１０へ出力する。制御部２１０は、広域無線通信部２１２から出力されたパケットを取得した場合、そのパケットに基づいて各種の制御を行う。
【００３５】
狭域無線通信部２１３は、アンテナ２１３ａを通じて電波を発信または受信することによって、複数の無線子機２２，２２，…，２２と所定の無線通信方式にて通信を行う。無線通信方式としては、例えば特定小電力無線方式が採用される。無線親機２１の狭域無線通信部２１３は、送信すべきパケットを有する無線子機２２を探索するための探索信号として、ビーコンを間欠的に送信する。このビーコンには、狭域無線網Ｎ２において無線親機２１を識別するための識別情報として無線機番号が含まれているものとする。また、狭域無線通信部２１３は、無線子機２２から送信されるビーコンを受信した場合であって、自装置が送信すべきパケットを有するとき、ビーコンに含まれる無線機番号より特定される無線子機２２へパケットを送信する。
【００３６】
表示部２１４は、ＬＥＤランプ、液晶表示パネル等により構成されており、制御部２１０から出力される制御信号に基づいて、保守作業を行う作業員等に通知すべき情報を表示する。
【００３７】
操作部２１５は、ディップスイッチ等の各種スイッチ、ボタンにより構成されており、例えば保守作業を行う作業員等による各種の設定操作を受付ける。制御部２１０は、操作部２１５から入力される設定内容を基に各種制御を行い、必要に応じて設定内容を記憶部２１１に記憶させる。
【００３８】
本実施の形態では、無線親機２１がＮＣＵの機能を有するものとして説明を行ったが、ＮＣＵの機能を有する網制御装置を個別の装置として用意し、無線親機２１を網制御装置に接続する構成であってもよい。この場合、無線親機２１は、網制御装置を接続する接続インタフェースを備え、接続インタフェースに接続された網制御装置を介してセンタ側と通信を行う構成とすればよい。
【００３９】
図４は無線子機２２の内部構成を示すブロック図である。無線子機２２は、制御部２２０、記憶部２２１、狭域無線通信部２２２、接続ＩＦ２２３、表示部２２４、操作部２２５などを備える。無線子機２２が備えるハードウェア各部は、電池２２９から供給される電力により動作するように構成されている。
【００４０】
制御部２２０は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、機器全体を本発明に係る通信装置として機能させる。
【００４１】
記憶部２２１は、例えば、ＥＥＰＲＯＭなどの不揮発性メモリにより構成されており、自機の動作に関する設定情報、狭域無線網Ｎ２を介して通信する際に必要となる情報等を記憶する。
【００４２】
狭域無線通信部２２２は、アンテナ２２２ａを通じて電波を発信または受信することによって、無線親機２１及び他の無線子機２２と所定の無線通信方式にて通信を行う。無線通信方式としては、例えば特定小電力無線方式が採用される。無線子機２２の狭域無線通信部２２２は、送信すべきパケットを有する無線親機２１又は他の無線子機２２を探索するための探索信号として、ビーコンを間欠的に送信する。このビーコンには、狭域無線網Ｎ２において個々の無線子機２２を識別するための識別子として無線機番号が含まれているものとする。また、狭域無線通信部２２２は、無線親機２１又は他の無線子機２２から送信されるビーコンを受信した場合であって、自装置が送信すべきパケットを有するとき、ビーコンに含まれる無線機番号より特定される無線親機２１又は他の無線子機２２へデータを送信する。
【００４３】
接続ＩＦ２２３は、例えばＵバスを介して、水道、ガスなどの使用量を計測するメータ２３、警報器等の機器２４を接続するためのインタフェースである。無線子機２２は、接続ＩＦ２２３を通じてバスに接続されたメータ２３及び機器２４とパケットの送受信を行う。
【００４４】
表示部２２４は、ＬＥＤランプ、液晶表示パネル等により構成されており、制御部２２０から出力される制御信号に基づいて、保守作業を行う作業員等に通知すべき情報を表示する。
【００４５】
操作部２２５は、ディップスイッチ等の各種スイッチ、ボタンにより構成されており、例えば保守作業を行う作業員等による各種の設定操作を受付ける。制御部２２０は、操作部２２５から入力される設定内容を基に各種制御を行い、必要に応じて設定内容を記憶部２２１に記憶させる。
【００４６】
図５はメータ２３の内部構成を示すブロック図である。メータ２３は、制御部２３０、
記憶部２３１、接続ＩＦ２３２、検針部２３３などを備える。
【００４７】
制御部２３０は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、メータ２３を本発明に係る機器として機能させる。
【００４８】
記憶部２３１は、例えば、ＥＥＰＲＯＭなどの不揮発性メモリにより構成されており、無線テレメータシステム内で自他を識別するＩＤ等を記憶する。
【００４９】
接続ＩＦ２３２は、例えばバスに接続するためのインタフェースを備える。メータ２３は、接続ＩＦ２３２を通じて、バスを介して接続された他の機器とパケットの送受信を行う。
【００５０】
検針部２３３は、供給事業体から供給される水道、ガスなどの供給媒体の使用量を計測し、計測結果（検針値）を制御部２３０を出力する。制御部２３０は、検針値をデータとして含むパケットを生成し、生成したパケットを接続ＩＦ２３２を通じて無線子機２２へ送信する。
【００５１】
図６は機器２４の内部構成を示すブロック図である。機器２４は、制御部２４０、記憶部２４１、接続ＩＦ２４２、検出部２４３などを備える。
【００５２】
制御部２４０は、例えば、ＣＰＵ、ＲＯＭ、ＲＡＭなどを備え、ＲＯＭに予め格納された制御プログラムをＲＡＭに読み出し、ＣＰＵが前記制御プログラムを実行することにより、機器２４を本発明に係る機器として機能させる。
【００５３】
記憶部２４１は、例えば、ＥＥＰＲＯＭなどの不揮発性メモリにより構成されており、バス上で自他を識別するＩＤ等を記憶する。
【００５４】
接続ＩＦ２４２は、例えばバスに接続するためのインタフェースを備える。機器２４は、接続ＩＦ２４２を通じて、バスを介して接続された他の機器とパケットの送受信を行う。
【００５５】
検出部２４３は、例えば、火災発生等の何らかの状態の変化を検出し、検出結果を示すデータを制御部２４０へ出力する。制御部２４０は、検出結果を示すデータを含むパケットを生成し、生成したパケットを接続ＩＦ２４２を通じて無線子機２２へ送信する。
【００５６】
図７は実施の形態１に係る無線テレメータシステム内で送受信されるパケットの構成例を示す模式図である。本実施の形態に係る無線テレメータシステム内で送受信されるパケットは、制御コード（ＣＣ）、送信元アドレス（ＳＡＤＲ）、及び宛先アドレス（ＤＡＤＲ）を含むヘッダ部、送信対象のデータを含むデータ部、並びにブロックチェックコード（ＢＣＣ）を有する。図７Ａは、サブアドレスを使用しない場合のパケットの構成例を示したものである。サブアドレスを使用しない場合、送信元アドレス及び宛先アドレスには、例えば、ホストコンピュータ１１、無線親機２１、無線子機２２、メータ２３の何れかのアドレスが指定され、これらの機器の間でパケットの送受信が行われる。また、サブアドレスを使用しない場合であって、データを分割（断片化）して送信する必要がある場合、制御コード内に、分割パケットであることを示すフラグ、分割パケットの番号、分割パケットの総数が定義される。
なお、各機器がパケットを受信する際に待機状態から受信動作に移る移行時間が必要になるため、移行時間に応じた時間長だけパケットの受信を遅延させるためのデータ（マーク）が各パケットの先頭に付与される。
【００５７】
警報器等の機器２４には、自機が接続されているバス上で自他を識別するためのＩＤ（アドレス）が付与されるものの、システム内で自他を識別するためのＩＤは付与されないことが多い。このため、本実施の形態では、システム内で固有のＩＤを持たない機器２４と通信を行う場合、サブアドレスを使用する。例えば、センタ側が機器２４に対してパケットを送信する場合、宛先の機器２４と同一のバスに接続されたメータ２３のアドレスを宛先アドレスとして指定すると共に、サブアドレスに機器２４のＩＤを指定したパケットを生成して送信する。無線子機２２は、宛先アドレスにメータ２３のアドレスが指定されたパケットを受信した場合、そのパケットをメータ２３へ転送する。また、メータ２３は、無線子機２２から受信したパケットにサブアドレスが含まれており、サブアドレスにより機器２４のＩＤが指定されている場合、そのパケットをサブアドレスにより指定される機器２４へ転送する。このようなメータ２３のゲートウェイ機能により、通信システム内で固有のＩＤを持たない機器２４を無線テレメータシステム内の通信機器の１つとして接続することが可能となる。
【００５８】
図７Ｂは、サブアドレスを使用する場合のパケットの構成例を示したものである。サブアドレスを使用する場合、パケットのデータ部にサブアドレスの情報が付加される。パケットのデータ部は、データプロパティ（ＤＰ）、サブアドレス（ＳＵＢＡ）、オペコード（ＯＰＣ）、オペランド（ＯＰＲ）を有し、データプロパティ内でサブアドレスの使用の有無が定義され、サブアドレスにより宛先の機器２４のＩＤが指定される。なお、サブアドレスを使用しない場合には、サブアドレス（ＳＵＢＡ）の情報は省略される。
【００５９】
図８は実施の形態１に係る分割パケットの構成例を示す模式図である。前述のように、サブアドレスを使用しない場合であって、パケットを分割する場合、ヘッダ部の制御コード内で分割パケットであることを指定する。一方、サブアドレスを使用する場合、従来のＵバス規格に対して改変を加えることなくパケットの分割を定義するために、パケットのデータ部内にフラグメント情報を付加する。具体的には、分割パケットであることを示すフラグ、何番目のパケットであるのかを示すフラグメント番号、分割したパケットの総数をフラグメント情報として付加する。図８は、分割したパケットの総数が３の場合の構成例であり、フラグメント番号として１〜３がそれぞれ指定された３つの分割パケットを示している。
【００６０】
なお、図８では、オペランドの直後にフラグメント情報を付加したパケットの構成例を示したが、フラグメント情報を付加する位置はオペランドの直後に限定されるものではない。
【００６１】
図９はパケットの生成手順の一例を示すフローチャートである。図９の例は、ホストコンピュータ１１が機器２４へ送信するパケットを生成する手順を示したものである。ホストコンピュータ１１から無線子機２２にバスを介して接続された機器２４へ送信すべきデータが存在する場合、無線親機２１の制御部１１０は、送信すべきデータのデータ長が所定長より長いか否かを判断する（ステップＳ１１）。送信すべきデータのデータ長が所定長より長い場合（Ｓ１１：ＹＥＳ）、制御部１１０は、送信元アドレスを自機のＩＤ、宛先アドレスを送信先の機器２４と同一のバスに接続されているメータ２３のＩＤ、サブアドレスを機器２４のＩＤを指定し、フラグメント情報を夫々のデータ部に付加した複数の分割パケットを生成する（ステップＳ１２）。
【００６２】
一方、送信すべきデータのデータ長が所定長以下の場合（Ｓ１１：ＮＯ）、制御部２１０は、送信元アドレスを自機のＩＤ、宛先アドレスを送信先の機器２４と同一のバスに接続されているメータ２３のＩＤ、サブアドレスを機器２４のＩＤを指定し、フラグメント情報を持たないパケットを生成する（ステップＳ１３）。
【００６３】
なお、図９に示した例では、ホストコンピュータ１１でのパケットの生成手順について説明したが、機器２４からホストコンピュータ１１に対してパケットを生成する場合においても同様の手順にてパケットを生成することが可能である。機器２４からホストコンピュータ１１へ送信するパケットを生成する場合、機器２４は、送信元アドレスを自機のＩＤ、宛先アドレスを自機と同一のバスに接続されたメータ２３のＩＤ、サブアドレスをホストコンピュータ１１のＩＤに設定したパケットを生成し、生成したパケットをメータ２３へ送信する。メータ２３は、機器２４から送信されたパケットを受信した場合、パケットの送信元アドレスを自機のＩＤ、宛先アドレスをホストコンピュータ１１のＩＤに書き換え、アドレスを書き換えた後のパケットを無線子機２２及び無線親機２１を通じてホストコンピュータ１１へ送信する。
【００６４】
図１０は実施の形態１に係る分割パケットの送信手順の一例を示すタイミングチャートである。無線子機２２は、狭域無線通信部２２２を通じてパケットを受信した場合、当該パケットのヘッダ部及びデータ部を参照することにより、送信元及び宛先等を確認すると共に、メータ２３へ転送すべきパケットであるか否か、パケットが分割パケットであるか否か等を判断する。図１０に示した例では、ホストコンピュータ１１から機器２４宛に送信される分割数３の分割パケットを順次受信した状態を示している。
【００６５】
無線子機２２は、狭域無線通信部２２２を通じて、機器２４宛の１番目の分割パケットを受信した場合、送信元アドレスとしてホストコンピュータ１１のＩＤ（センタＩＤ）、宛先アドレスとして自機に接続されたメータ２３のＩＤ（メータＩＤ）、サブアドレスとして機器２４のＩＤ（機器ＩＤ）を含むパケットをメータ２３へ送信する（ステップＳ１０１）。
【００６６】
メータ２３は、無線子機２２から送信されるパケットを受信した場合、ＡＣＫを無線子機２２へ送信する（ステップＳ１０２）。また、メータ２３の制御部２３０は、受信したパケットのサブアドレスを確認することにより、受信したパケットが機器２４宛のパケットであると判断できるので、パケットの送信元アドレスをメータＩＤ、宛先アドレスを機器ＩＤ、サブアドレスをセンタＩＤに変更し、アドレス変更後のパケットを接続ＩＦ２３２を通じて機器２４へ送信する（ステップＳ１０３）。
【００６７】
機器２４は、メータ２３から送信されるパケットを受信した場合、ＡＣＫをメータ２３へ送信すると共に（ステップＳ１０４）、ホストコンピュータ１１宛の応答データを送信する（ステップＳ１０５）。この応答データは、同一のバスに接続されたメータ２３を介して無線子機２２へ送信され（ステップＳ１０６）、この無線子機２２を通じてホストコンピュータ１１へ送信される。
【００６８】
また、無線子機２２は、狭域無線通信部２２２を通じて、機器２４宛の２番目の分割パケットを受信した場合、送信元アドレスとしてセンタＩＤ、宛先アドレスとしてメータＩＤ、サブアドレスとして機器ＩＤを含むパケットを接続ＩＦ２２３を通じてメータ２３へ送信する（ステップＳ１０７）。
【００６９】
メータ２３は、無線子機２２から送信されるパケットを受信した場合、ＡＣＫを無線子機２２へ送信する（ステップＳ１０８）。また、メータ２３の制御部２３０は、受信したパケットのサブアドレスを確認することにより、受信したパケットが機器２４宛のパケットであると判断できるので、パケットの送信元アドレスをメータＩＤ、宛先アドレスを機器ＩＤ、サブアドレスをセンタＩＤに変更し、アドレス変更後のパケットを接続ＩＦ２３２を通じて機器２４へ送信する（ステップＳ１０９）。
【００７０】
機器２４は、メータ２３から送信されるパケットを受信した場合、ＡＣＫをメータ２３へ送信すると共に（ステップＳ１１０）、ホストコンピュータ１１宛の応答データを送信する（ステップＳ１１１）。この応答データは、同一のバスに接続されたメータ２３を介して無線子機２２へ送信され（ステップＳ１１２）、この無線子機２２を通じてホストコンピュータ１１へ送信される。
【００７１】
更に、無線子機２２は、狭域無線通信部２２２を通じて、機器２４宛の３番目の分割パケットを受信した場合、送信元アドレスとしてセンタＩＤ、宛先アドレスとしてメータＩＤ、サブアドレスとして機器ＩＤを含むパケットを接続ＩＦ２２３を通じてメータ２３へ送信する（ステップＳ１１３）。
【００７２】
メータ２３は、無線子機２２から送信されるパケットを受信した場合、ＡＣＫを無線子機２２へ送信する（ステップＳ１１４）。また、メータ２３の制御部２３０は、受信したパケットのサブアドレスを確認することにより、受信したパケットが機器２４宛のパケットであると判断できるので、パケットの送信元アドレスをメータＩＤ、宛先アドレスを機器ＩＤ、サブアドレスをセンタＩＤに変更し、アドレス変更後のパケットを接続ＩＦ２３２を通じて機器２４へ送信する（ステップＳ１１５）。
【００７３】
機器２４は、メータ２３から送信されるパケットを受信した場合、ＡＣＫをメータ２３へ送信すると共に（ステップＳ１１６）、ホストコンピュータ１１宛の応答データを送信する（ステップＳ１１７）。この応答データは、同一のバスに接続されたメータ２３を介して無線子機２２へ送信され（ステップＳ１１８）、この無線子機２２を通じてホストコンピュータ１１へ送信される。
【００７４】
このようにして、機器２４は、ホストコンピュータ１１から順次送信される分割パケットを自機と同一のバスに接続されたメータ２３を通じて受信することができる。また、機器２４の制御部２４０は、受信した分割パケットのフラグメント情報に基づいて、元のデータを復元することができる。
【００７５】
なお、図１０に示した例では、機器２４がホストコンピュータ１１から送信される分割パケットを受信する場合の手順について記載したが、機器２４から分割パケットを送信する場合についても、同様の手順を適用することができる。
【００７６】
以上のように、実施の形態１では、メータ２３にゲートウェイ機能を持たせることにより、通信システム内で固有のＩＤ（アドレス）を持たない機器２４を無線テレメータシステム内の通信機器の１つとして接続することができ、所定長より長いロングデータを送受信する場合であっても、分割パケットにより対応することができる。
【００７７】
（実施の形態２）
実施の形態１では、各分割パケットのデータ部にフラグメント情報を付加する構成としたが、１番目の分割パケットにのみフラグメント情報を付加し、２番目以降の分割パケットにはフラグメント情報を付加することを省略する構成としてもよい。
実施の形態２では、２番目以降の分割パケットにフラグメント情報を付加することを省略する構成について説明する。
【００７８】
図１１は実施の形態２に係る分割パケットの構成例を示す模式図である。実施の形態２では、サブアドレスを使用する場合であって、パケットを分割する場合、１番目の分割パケットのデータ部内に分割に係る情報（フラグメント情報）を付加する。具体的には、分割パケットであることを示すフラグ、及び分割したパケットの総数をフラグメント情報として付加する。図１１は、分割したパケットの総数が３の場合の構成例である。
【００７９】
実施の形態２では、２番目以降の分割パケットにはフラグメント情報を付加しない構成としているが、一般的には、パケットの制御コード（ＣＣ）内にシーケンス番号が存在するので、このシーケンス番号を利用することにより、分割されたパケットの何番目のパケットであるのかを判別することができ、判別した分割パケットから元のデータを復元することができる。例えば、フラグメント総数が３であり、フラグメント情報が付加されている分割パケットのシーケンス番号がＮである場合、シーケンス番号がＮ，Ｎ＋１，Ｎ＋２のパケットを取得することにより、元のデータを復元することができる。
【００８０】
以上のように、実施の形態２では、２番目以降の分割パケットにフラグメント情報を付加することを省略できるため、１つの分割パケットに添付できるデータのデータ量を増やすことができる。
【００８１】
（実施の形態３）
実施の形態１及び２では、Ｕバスを介してメータ２３を無線子機２２に接続する構成としたが、Ｕバスへの接続インタフェースを持たない従来型のメータ（以下、従来型メータという）を変換アダプタを介して接続できるようにしてもよい。
実施の形態３では、従来型メータを変換アダプタを介してＵバスに接続する構成について説明を行う。
【００８２】
図１２は実施の形態３における従来型メータの接続例を示す模式図である。無線子機２２は、実施の形態１で説明したように、Ｕバスを介してメータ２３を接続する接続ＩＦ２２３を備える。実施の形態３では、更に、変換アダプタ３０を介して従来型メータ３１をＵバスに接続できるように構成している。
【００８３】
変換アダプタ３０は、制御部３０１、接続ＩＦ３０２、ポート３０３を備える。接続ＩＦ３０２は、Ｕバスに接続するための接続手段であり、Ｕバスを通じてパケットが入力された場合、入力されたパケットを制御部３０１へ送出すると共に、制御部３０１からＵバスを介して外部へ送信すべきパケットが入力された場合、入力されたパケットをＵバスを介して無線子機２２へ送出する。
【００８４】
一方、ポート３０３には、従来型メータ３１が接続され、従来型メータ３１からＵバスを介して外部へ送信すべきパケットが入力された場合、入力されたパケットを制御部３０１へ送出すると共に、制御部３０１から従来型メータ３１へ送出すべきパケットが入力された場合、入力されたパケットを従来型メータ３１へ送出する。
【００８５】
制御部３０１は、例えば演算部及び記憶部を備え、接続ＩＦ３０２を通じて入力された無線子機２２からのパケットを従来型メータ３１にて解釈可能なパケットに変換すると共に、ポート３０３を通じて入力された従来型メータ３１からのパケットを無線子機２２等において解釈可能なパケットに変換する。
【００８６】
ホストコンピュータ１１は、Ｕバス上に変換アダプタ３０を介して接続された従来型メータ３１に対してデータを送信する必要がある場合、例えば、宛先アドレスをメータ２３のＩＤ、サブアドレスを変換アダプタ３０のＩＤに指定したパケットを生成して送信する。ホストコンピュータ１１から送信されたパケットを前記メータ２３が受信した場合、メータ２３は、サブアドレスにより変換アダプタ３０宛のパケットであると判断できるので、そのパケットの送信元アドレスを自機のＩＤ、宛先アドレスを変換アダプタ３０のＩＤ、サブアドレスをホストコンピュータ１１のＩＤに書き換えて、変換アダプタ３０へ転送する。変換アダプタ３０は、メータ２３から転送されるパケットを受信した場合、従来型メータ３１にて解釈可能なパケットに変換し、変換後のパケットをポート３０３を通じて
従来型メータ３１へ送出する。
【００８７】
逆に、従来型メータ３１からホストコンピュータ１１等にデータを送信する必要がある場合、送信元アドレスに従来型メータ３１のＩＤ、宛先アドレスにメータ２３のＩＤ、サブアドレスにホストコンピュータ１１等のＩＤを設定したパケットを生成し、生成したパケットを変換アダプタ３０及びメータ２３経由でホストコンピュータ１１等の送信先へパケットを送信する。
【００８８】
以上のように、実施の形態３では、従来型メータ３１を変換アダプタ３０を介してＵバスに接続した場合であっても、サブアドレスを用いることにより、無線テレメータシステム内の通信機器の１つとして接続することができる。また、ロングデータを送受信する場合には、実施の形態１及び２と同様に、フラグメント情報をパケットのデータ部に付加することにより対応することができる。
【００８９】
（実施の形態４）
前述の従来型メータ３１にてロングデータを送受信できる場合、変換アダプタ３０において、分割パケットから元のデータを復元し、復元したデータを従来型メータ３１へ転送する構成としてもよい。
実施の形態４では、変換アダプタ３０にて分割パケットから元のデータを復元する構成について説明を行う。
【００９０】
図１３は実施の形態４に係る分割パケットの送信手順の一例を示すタイミングチャートである。無線子機２２は、狭域無線通信部２２２を通じてパケットを受信した場合、当該パケットのヘッダ部及びデータ部を参照することにより、送信元及び宛先等を確認すると共に、パケットが分割パケットであるか否か等を判断する。図１３に示した例では、ホストコンピュータ１１から従来型メータ３１宛に送信される分割数３の分割パケットを順次受信した状態を示している。
【００９１】
無線子機２２は、狭域無線通信部２２２を通じて、従来型メータ３１宛の１番目の分割パケットを受信した場合、送信元アドレスとしてホストコンピュータ１１のＩＤ（センタＩＤ）、宛先アドレスとして自機に接続された変換アダプタ３０のＩＤ（アダプタＩＤ）、サブアドレスとして従来型メータ３１のＩＤ（メータＩＤ）を含むパケットを変換アダプタ３０へ送信する（ステップＳ４０１）。
【００９２】
変換アダプタ３０は、無線子機２２から送信されるパケットを受信した場合、ＡＣＫを無線子機２２へ送信する（ステップＳ４０２）。また、変換アダプタ３０の制御部３０１は、受信したパケットのサブアドレスを確認することにより、受信したパケットが従来型メータ３１宛のパケットであると判断できるので、分割パケットからデータを抽出し、抽出したデータを保存する（ステップＳ４０３）。抽出したデータを保存した後、変換アダプタ３０は、ホストコンピュータ１１宛の応答データを送信する（ステップＳ４０４）。この応答データは無線子機２２を介してホストコンピュータ１１へ送信される。
【００９３】
また、無線子機２２は、狭域無線通信部２２２を通じて、従来型メータ３１宛の２番目の分割パケットを受信した場合、送信元アドレスとしてセンタＩＤ、宛先アドレスとしてアダプタＩＤ、サブアドレスとしてメータＩＤを含むパケットを変換アダプタ３０へ送信する（ステップＳ４０５）。
【００９４】
変換アダプタ３０は、無線子機２２から送信されるパケットを受信した場合、ＡＣＫを無線子機２２へ送信する（ステップＳ４０６）。また、変換アダプタ３０の制御部３０１は、受信したパケットのサブアドレスを確認することにより、受信したパケットが従来型
メータ３１宛のパケットであると判断できるので、分割パケットからデータを抽出し、抽出したデータを保存する（ステップＳ４０７）。抽出したデータを保存した後、変換アダプタ３０は、ホストコンピュータ１１宛の応答データを送信する（ステップＳ４０８）。この応答データは無線子機２２を介してホストコンピュータ１１へ送信される。
【００９５】
更に、無線子機２２は、狭域無線通信部２２２を通じて、従来型メータ３１宛の３番目の分割パケットを受信した場合、送信元アドレスとしてセンタＩＤ、宛先アドレスとしてアダプタＩＤ、サブアドレスとしてメータＩＤを含むパケットを変換アダプタ３０へ送信する（ステップＳ４０９）。
【００９６】
変換アダプタ３０は、無線子機２２から送信されるパケットを受信した場合、ＡＣＫを無線子機２２へ送信する（ステップＳ４１０）。また、変換アダプタ３０の制御部３０１は、受信したパケットのサブアドレスを確認することにより、受信したパケットが従来型メータ３１宛のパケットであると判断できるので、分割パケットからデータを抽出し、抽出したデータを保存する（ステップＳ４１１）。抽出したデータを保存した後、変換アダプタ３０は、ホストコンピュータ１１宛の応答データを送信する（ステップＳ４１２）。この応答データは無線子機２２を介してホストコンピュータ１１へ送信される。
【００９７】
変換アダプタ３０は、ステップＳ４０３，Ｓ４０７，Ｓ４１１で保存したデータから元のデータを復元し、復元したデータを従来型メータ３１へ送信する（ステップＳ４１３）。変換アダプタ３０から送信されるデータを従来型メータ３１が受信した場合、従来型メータ３１は、ホストコンピュータ１１宛の応答データを送信する（ステップＳ４１４）。この応答データは、変換アダプタ３０を介して無線子機２２へ送信され（ステップＳ１１５）、この無線子機２２を通じてホストコンピュータ１１へ送信される。
【００９８】
以上のように、実施の形態４では、従来型メータ３１にてロングデータを送受信できる場合、変換アダプタ３０において、分割パケットから元のデータを復元し、復元したデータを従来型メータ３１へ転送することができ、従来型メータ３１の通信環境に応じた通信が可能となる。
【００９９】
今回開示された実施の形態は、全ての点で例示であって、制限的なものではないと考えられるべきである。本発明の範囲は、上述した意味ではなく、特許請求の範囲によって示され、特許請求の範囲と均等の意味及び範囲内での全ての変更が含まれることが意図される。
【０１００】
以上の実施の形態に関し、更に以下の付記を開示する。
【０１０１】
本願の通信システムは、互いに通信可能に接続された複数の通信装置（１１，２１，２２）を含み、該複数の通信装置（１１，２１，２２）間で、宛先及び送信元に係る情報を含むヘッダ部と、送信対象のデータを含むデータ部とを有するパケットを送受信する通信システムにおいて、前記複数の通信装置（１１，２１，２２）の少なくとも１つはバスを介して１又は複数の機器（２３，２４，３０）を接続する手段を備え、各通信装置（１１）は、他の通信装置（２１，２２）に接続された１又は複数の機器（２３，２４，３０）へ送信すべきデータのデータ長が所定長より長いか否かを判断する手段（Ｓ１１）、及び前記データのデータ長が所定長より長いと判断した場合、前記データを前記所定長以下のデータ長に断片化した断片化データと、断片化に係る情報とを夫々のデータ部に付加した複数のパケットを生成する手段（Ｓ１２）を備え、生成した複数のパケットを前記他の通信装置（２１，２２）を介して前記１又は複数の機器（２３，２４，３０）へ送信するようにしてあることを特徴とする。
【０１０２】
本願では、通信システム内で固有のＩＤ（アドレス）を持たない機器を通信システム内の１つの通信装置として接続することができる。また、通信仕様によりパケットが分割できない場合であっても、パケットのデータ部に断片化に係る情報を付加することにより、所定長より長いロングデータを送受信することができる。
【０１０３】
本願の通信システムは、各通信装置（１１）は、断片化に係る情報を一のパケットのデータ部に付加し、他のパケットのデータ部への付加を省略するようにしてあることを特徴とする。
【０１０４】
本願では、２番目移行の分割パケットにフラグメント情報を付加することを省略できるため、１つの分割パケットに添付できるデータのデータ量を増やすことができる。
【０１０５】
本願の通信システムは、前記機器（２３）は、供給先へ供給される供給対象の使用量を計測するメータ（２３）を含み、該メータ（２３）は、自機と同一のバスに接続された他の機器宛のパケットを受信する手段（２３２）と、該手段（２３２）にて受信したパケットを前記他の機器へ転送する手段（２３２）とを備えることを特徴とする。
【０１０６】
本願では、通信システム内で固有のＩＤ（アドレス）を持たない機器と通信する際に、メータをゲートウェイ機能を有する機器として動作させることができる。
【０１０７】
本願の通信システムは、前記機器（３０）は、他の通信規格のパケットを送受信する機器（３１）を接続するためのポートを備えた変換アダプタ（３０）を含み、該変換アダプタ（３０）は、前記バスを通じて受信したパケットのデータ部に断片化に係る情報が含まれているか否かを判断する手段（３００）と、前記断片化に係る情報が含まれていると判断した場合、前記断片化に係る情報に基づいて、前記パケットのヘッダ部により指定される宛先の機器へ送信すべきデータを復元する手段（３００）と、復元したデータに基づいて前記通信規格に準じたパケットを生成する手段（３００）とを備え、生成したパケットを前記宛先の機器（３１）へ送信するようにしてあることを特徴とする。
【０１０８】
本願では、従来型メータを変換アダプタを介してバスに接続した場合であっても、通信システム内で送受信されるパケットのデータ部分にてサブアドレスを設定することにより、従来型メータをシステム内の通信装置の１つとして接続することができる。また、ロングデータを送受信する場合には、フラグメント情報をパケットのデータ部に付加することにより対応することができる。
【０１０９】
本願の通信装置は、宛先及び送信元に係る情報を含むヘッダ部と、送信対象のデータを含むデータ部とを有するパケットを送受信する通信装置（１１）において、他の通信装置（２２）にバスを介して接続された機器（２３，２４，３０）へ送信すべきデータのデータ長が所定長より長いか否かを判断する手段（Ｓ１１）、及び前記データのデータ長が所定長より長いと判断した場合、前記データを前記所定長以下のデータ長に断片化した断片化データと、断片化に係る情報とを夫々のデータ部に付加した複数のパケットを生成する手段（Ｓ１２）を備え、生成した複数のパケットを前記他の通信装置（２２）を介して前記機器（２３，２４，３０）へ送信するようにしてあることを特徴とする。
【０１１０】
本願では、通信仕様によりパケットが分割できない場合であっても、データ部に断片化に係る情報を付加したパケットを送受信することにより、所定長より長いロングデータの受け渡しが可能となる。
【符号の説明】
【０１１１】
１１  ホストコンピュータ
１２  センタ側網制御装置
２１  無線親機
２２  無線子機
２３  メータ
２４  機器
１１０，２１０，２２０，２３０，２４０  制御部
１１１，２１１，２２１，２３１，２４１  記憶部
１１２  通信部
２１２  広域無線通信部
２１３，２２２  狭域無線通信部
１１４，２１４，２２４  表示部
１１５，２１５，２２５  操作部
２１９，２２９  電池
２２３，２３２，２４２  接続ＩＦ
２３３  検針部
２４３  検出部
【図１】
2016092677.tif 000003
【図２】
2016092677.tif 000004
【図３】
2016092677.tif 000005
【図４】
2016092677.tif 000006
【図５】
2016092677.tif 000007
【図６】
2016092677.tif 000008
【図７】
2016092677.tif 000009
【図８】
2016092677.tif 000010
【図９】
2016092677.tif 000011
【図１０】
2016092677.tif 000012
【図１１】
2016092677.tif 000013
【図１２】
2016092677.tif 000014
【図１３】
2016092677.tif 000015